(57)【要約】【課題】複数種の液剤を使い分けするのに、専用のタンクを洗浄などしなくてもよく、一般的に飲料物用容器として用いられるペットボトルなどに液剤を収納して、そのペットボトル内の液剤を噴霧するのに供することのできる噴霧器をを提供する。【解決手段】ノズル８と、液剤収納容器３を着脱自在な着脱部７と、該着脱部７に装着された液剤収納容器３から液剤を吸い上げてノズル８へ送出する噴霧作動部５とを本体部２に備えるとともに、前記着脱部７は、使用済みの飲料物用容器を前記液剤収納容器３として着脱自在に構成している、ことを特徴とする噴霧器。【選択図】  図１
2005230595.tif 000002
【特許請求の範囲】
【請求項１】
ノズルと、
液剤収納容器を着脱自在な着脱部と、
該着脱部に装着された液剤収納容器から液剤を吸い上げてノズルへ送出する噴霧作動部とを本体部に備えるとともに、
前記着脱部は、使用済みの飲料物用容器を前記液剤収納容器として着脱自在に構成している、ことを特徴とする噴霧器。
【請求項２】
請求項１に記載の噴霧器において、
前記本体部は、前記噴霧作動部として機能する電動ポンプと、取手部とを備え、前記電動ポンプの駆動を制御する人手操作部を前記取手部に設けている、ことを特徴とする噴霧器。
【請求項３】
請求項１に記載の噴霧器において、
前記本体部は、先端部に前記ノズルを備えるシリンダチューブと、このシリンダチューブに前記飲料物用容器を着脱自在に螺着固定する前記着脱部と、前記シリンダチューブ内に摺動自在に装着されたピストンと、該ピストンを前記シリンダチューブに対して押し移動または引き移動する動作に基づく負圧発生によって前記飲料物用容器内の液剤を前記シリンダチューブ内に吸い込む経路に介在される逆止弁と、前記ピストンの前記シリンダチューブに対する押し移動または引き移動する動作に基づいて前記シリンダチューブ内の液剤への加圧を行って前記ノズルへ液剤を送出する送出部とを備える、ことを特徴とする噴霧器。
【請求項４】
請求項３に記載の噴霧器において、
前記逆止弁を前記シリンダチューブの先端部寄りの下面側に前記着脱部と共に配置するとともに、前記ノズルに一端が連結され該ノズルへの液剤供給用通路を内部に備える通液管を前記シリンダチューブ内に該シリンダチューブの筒軸方向に沿って収納し、前記ピストンは、筒状のピストンロッドと、前記シリンダチューブの内周面に液密状態で摺接するシール部とを備えるとともに、前記ピストンロッドは、前記通液管を挿通可能な開口部を前記シール部側に形成し、前記通液管の他端側を前記ピストンロッド内空間に開口し、前記ピストンロッドの前記シール部近くに径方向内外に貫通する貫通孔を形成し、さらに、前記ピストンの前記逆止弁側に向かう押し操作時において、前記ピストンの前記シール部よりも前記逆止弁が位置する側の前記シリンダチューブ内空間から、前記シール部よりも前記ピストンロッドが位置する側の前記シリンダチューブ内空間へ向けて液剤を流動させる微小隙間が、前記両シリンダチューブ内空間の間に形成される、ことを特徴とする噴霧器。
【発明の詳細な説明】
【技術分野】
【０００１】
本発明は、水、洗浄剤、消毒液、液状殺虫剤、塗料など、各種液剤を噴霧することのできる噴霧器に関する。
【背景技術】
【０００２】
この種の噴霧器としては、所定の液剤を収納した専用のタンクを、噴霧器の本体部に装着したものが提案されている（例えば特許文献１参照）。
【特許文献１】特開平１０−２３５２４６号公報
【発明の開示】
【発明が解決しようとする課題】
【０００３】
従来の噴霧器においては、噴霧する液剤が複数種ある場合、先に使用した液剤を専用のタンク内から排出し、かつそのタンク内を洗浄した後、そのタンクに別の液剤を収納して噴霧に供する必要があり、煩雑であった。
【０００４】
本発明は、複数種の液剤を使い分けするのに、専用のタンクの洗浄など煩わしい作業を行わなくてもよく、一般的に飲料物用容器として用いられるペットボトルなどに液剤を収納して、そのペットボトル内の液剤を噴霧するのに供することのできる噴霧器を提供することを目的としている。
【課題を解決するための手段】
【０００５】
本発明に係る噴霧器は、ノズルと、液剤収納容器を着脱自在な着脱部と、該着脱部に装着された液剤収納容器から液剤を吸い上げてノズルへ送出する噴霧作動部とを本体部に備えるとともに、前記着脱部は、使用済みの飲料物用容器を前記液剤収納容器として着脱自在に構成している、ことを特徴とする。
【０００６】
本発明に係る噴霧器によれば、飲用に供して使用済みとなった飲料物用容器を液剤収納容器として着脱可能な着脱部を本体部に備えているから、飲用に供した後のペットボトルなどの飲料物用容器に噴霧に必要な液剤を収納した状態で、その飲料物用容器を本体部の着脱部に装着固定することによって、飲料物用容器内に収容された液剤を吸い上げ、ノズルへ送出して噴霧することができる。それによって、複数種の液剤を適宜噴霧したい場合にも、予めその液剤の種類に応じた数の飲料物用容器に液剤を収納して用意しておき、噴霧したい液剤が入った飲料物用容器を選択して着脱部に装着して使用すればよいので、専用のタンクを本体部に装着するよりもコスト低下を図ることができる。また、ユーザーは、噴霧器の本体部のみを購入するだけでよく、液剤を収納するタンクについては購入しなくてもよい。
【０００７】
ここで、ノズルとしては噴霧機能を有するものに限定されないのであって、ストレートの液剤を噴射したりできる機能も有するものでも良いし、噴霧やストレートなど複数種の液剤吐出機能を有するものでも良く、この場合、適宜機能を切り替えたりする。
【０００８】
本発明に係る噴霧器の好ましい実施態様として、前記本体部は、前記噴霧作動部として機能する電動ポンプと、取手部とを備え、前記電動ポンプの駆動を制御する人手操作部を前記取手部に設けている。この場合、噴霧を行う作業者は、取手部を持ってノズルを所要噴霧個所に向けた状態にして、人手操作部を操作することによって電動ポンプを駆動することにより、ノズルから所要個所への噴霧が行える。また、片手で取手部を持って噴霧作業を行えば、例えば噴霧対象が植物の根元や葉裏である場合に、噴霧の妨げになる葉などをもう一方の手で掻き分けて噴霧を行うことができ、作業性の良いものとなる。なお、取手部は作業者が噴霧器を人手によって支え持つための部分である。
【０００９】
本発明に係る噴霧器の好ましい実施態様として、前記本体部は、先端部に前記ノズルを備えるシリンダチューブと、このシリンダチューブに前記飲料物用容器を着脱自在に螺着固定する前記着脱部と、前記シリンダチューブ内に摺動自在に装着されたピストンと、該ピストンを前記シリンダチューブに対して押し移動または引き移動する動作に基づく負圧発生によって前記飲料物用容器内の液剤を前記シリンダチューブ内に吸い込む経路に介在される逆止弁と、前記ピストンの前記シリンダチューブに対する押し移動または引き移動する動作に基づいて前記シリンダチューブ内の液剤への加圧を行って前記ノズルへ液剤を送出する送出部とを備える。この場合、例えば、人手によりシリンダチューブを持ち、一方ピストンについても人手により押し引き操作することによって、飲料物用容器内の液剤を吸い上げてノズルから噴霧することができる。
【００１０】
本発明に係る噴霧器の好ましい実施態様として、前記逆止弁を前記シリンダチューブの先端部寄りの下面側に前記着脱部と共に配置するとともに、前記ノズルに一端が連結され該ノズルへの液剤供給用通路を内部に備える通液管を前記シリンダチューブ内に該シリンダチューブの筒軸方向に沿って収納し、前記ピストンは、筒状のピストンロッドと、前記シリンダチューブの内周面に液密状態で摺接するシール部とを備えるとともに、前記ピストンロッドは、前記通液管を挿通可能な開口部を前記シール部側に形成し、前記通液管の他端側を前記ピストンロッド内空間に開口し、前記ピストンロッドの前記シール部近くに径方向内外に貫通する貫通孔を形成し、さらに、前記ピストンの前記逆止弁側に向かう押し操作時において、前記ピストンの前記シール部よりも前記逆止弁が位置する側の前記シリンダチューブ内空間から、前記シール部よりも前記ピストンロッドが位置する側の前記シリンダチューブ内空間へ向けて液剤を流動させる微小隙間が、前記両シリンダチューブ内空間の間に形成される。この場合、使用開始時にまずピストンを引くことによって逆止弁が位置する側のシリンダチューブ内が負圧となって液剤が逆止弁を介してシリンダチューブ内に吸い上げられ、次いでピストンを押すことによって、微小隙間を通して液剤がピストンロッド側のシリンダチューブ内空間に移動させられるとともに、ピストンロッドの貫通孔を通して液剤が移動することによって、ピストンロッド側のシリンダチューブ内空間と同様ピストンロッド内にも液剤が移動される状態となる。次いで、ピストンを引くと、逆止弁が位置する側のシリンダチューブ内が負圧となって液剤の吸い上げがなされるとともに、ピストンロッドが位置する側のシリンダチューブ内の液剤は貫通孔を通してピストンロッド内に移動し、ピストンロッド内の液圧を高めることになるので、それにより液剤は通液管の開口個所を通して通液管を通してノズルに送り出され、そのノズルから噴霧されることになる。引き続いてピストンを押すと、前述のように、微小隙間を通して液剤がピストンロッド側のシリンダチューブ内空間に移動させられるとともに、ピストンロッドの貫通孔を通して、ピストンロッド内にも液剤が満たされる状態となり、ピストンロッドの後端側（ピストンのシール部の無い端部側）が通液管の開口個所に近づいていく操作がなされることになり、その近づくことにより、通液管の開口個所近傍での液圧が高くなり、通液管内へ液剤が移動することになる。よって、その押し操作時にも通液管を通して液剤がノズルから噴霧され、その噴霧されることによって、シリンダチューブのピストンロッドが位置する側の空間の内圧が逆止弁側の空間の内圧より低くなることで、微小隙間を通して液剤がシリンダチューブのピストンロッドが位置する側の空間に送られ、かつ、そのときに生じる負圧により逆止弁を通して液剤が飲料物用容器から吸い上げられる。以上の動作を繰り返すことによって、ピストンを押したときでもまた引いたときでもノズルから噴霧が行えるとともに、飲料物用容器から噴霧器への液剤の吸い上げも行えるものとなっている。
【発明の効果】
【００１１】
本発明によれば、飲料物用容器を着脱可能な着脱部を本体部に備えているから、飲用に供した後のペットボトルなどの飲料物用容器に噴霧に必要な液剤を収納した状態で、その飲料物用容器を本体部の着脱部に装着固定することによって、飲料物用容器内に収容された液剤を吸い上げ、ノズルへ送出して噴霧することができる。それによって、複数種の液剤を適宜噴霧したい場合にも、予めその液剤の種類に応じた数の飲料物用容器に液剤を収納しておき、噴霧したい液剤が入った飲料物用容器を選択して着脱部に装着して使用すればよいので、専用のタンクを本体部に装着するよりもコスト低下を図ることができる。
【発明を実施するための最良の形態】
【００１２】
以下、本発明に係る噴霧器の実施態様を、図１ないし図７を参照して詳細に説明する。図１は、噴霧器の一例としての電動噴霧器を示す全体側面図であり、図２は、図１の噴霧器の本体部の縦断側面図（上部の蓋体を外した状態）であり、図３は、図１の噴霧器の上部の蓋体を外した状態の電池収納部を示す平面図（電動モータやポンプを収納する部分については図示を省略）であり、図４は、図２におけるノズル基端部近傍を示す拡大縦断面図であり、図５は、図４に示すノズル基端部近傍を示すポンプなどとノズルとの分解斜視図であり、図６は、図１の噴霧器のノズルを姿勢変更可能にかつ適宜姿勢で保持するための機構を示す要部拡大側面図であり、図７は、図６の状態からノズルを最大限上方に向かう姿勢にした状態を示す要部拡大側面図である。
【００１３】
図１ないし図５を参照して、この電動噴霧器１は、本体部２と、この本体部２に装着される容器部３とを備えている。本体部２は、ケース４の内部にポンプ５および該ポンプ５を駆動するモータ６とを収納するとともに、容器部３を螺着して固定することのできる着脱部としての容器装着部７と、液剤を噴霧するためのノズル８と、作業者が片手で把持するための取手部９とを備えている。ケース４は合成樹脂製であって、取手部９もケース４と一体的に形成されたものである。このケース４は、底面の形状が円形を成し、上面の形状が前後に長い楕円を成すほぼ円錐台状の外形となっている。そして、このケース４は、ポンプ５およびモータ６を収納する区画部１０を備えるケース部分と、モータ６を駆動するための電池（乾電池など）１１を収納する区画部１２を備えるケース部分とに分割されたものであって、両ケース部分をねじ止めにより一体化している。
【００１４】
取手部９の上部個所には、この取手部９を作業者が片手で把持した状態でその把持している手の親指によって押し操作可能な人手操作部としての押しボタンスイッチ１３を設けている。この押しボタンスイッチ１３の断接が行われる接点間に、電池１１とモータ６とが接続されている。なお、電池１１をケース４内に収納した状態で閉じ込め保持し、かつ複数の電池間の電気的導通を行う接点部を有する合成樹脂製の蓋体１４が、ケース４の上面に対して係脱自在に設けられている。
【００１５】
ケース４の底部には、容器部３を着脱自在に装着するための容器装着部７が螺着されている。この容器装着部７は合成樹脂製であって、ケース４底部の雌螺子部１５へ螺着するための雄螺子部１６を上部に設け、容器部３を螺着するための雌螺子部１７を下部に設けた筒体に構成されている。なお、このような容器装着部７を介することなく、ケースの底部に直接容器部３を螺着するものでもよく、その場合、ケースの底部の容器部螺着箇所が着脱部に相当する。
【００１６】
容器部３は、図１に示すように、いわゆる飲料物用容器の一例としての使用済みのペットボトルを用いる。ペットボトルの上端の口部分は、飲料物の出口となっているとともに、キャップを螺着するための雄螺子部が一定規格に従って形成されている。したがって、ペットボトルの口部の雄螺子部を螺着可能に、容器装着部７の雌螺子部１７が形成されている。
【００１７】
ポンプ５の液剤吸い込み口１８には、ビニールホース１９の一端が圧着状態で装着されている。ビニールホース１９の他端は、容器部３内に入り込ませて、その容器部３内の液剤を吸い込むための吸い込み用口材２０が取り付けられている。この吸い込み用口材２０は、液剤吸い込み用の小孔が複数形成された構成となっており、ビニールホース１９に対して圧着状態で装着されている。ビニールホース１９は、容器装着部７に装着された容器部３の高さに対応して、吸い込み用口材２０が底部近くに位置する長さに設定されたものが設けられることが望ましい。
【００１８】
ポンプ５を駆動するモータ６は直流モータである。ポンプ５は、市販されている小型のロータリ式ポンプである。そして、噴霧作動部としてのポンプ５は、容器部３から液剤を吸い上げる吸い上げ部と、吸い上げた液剤をノズル８へ送り出す送出部とを兼用している。
【００１９】
ノズル８は、噴霧方向に沿った軸心周りで適宜回し操作することで、先端から噴出する液剤を霧状に噴霧する状態と、液剤をストレートに吐出する状態とに切り替え自在に構成したものであって、アルミ製のパイプ２１の先端部に設けている。このパイプ２１の基端部は、ポンプ５の液剤吐出口２２に嵌め込みされた流路変換部材２３に、パイプ２１の長手方向とは直交する横方向に沿った軸心Ｐ周りで回動自在に嵌合されている。ケース４において前記取手部９が設けられている側とは反対側（以下前側という）にノズル８が設けられるように、ポンプ５の液剤吐出口２２が設けられている。この液剤吐出口２２から液剤は前方に向けて流出するのであるが、流路変換部材２３によってその流路が前方とは直交する横方向に変更され、パイプ２１基端部には、流路変換部材２３に前記横軸心Ｐ周りで回動自在に嵌合する嵌合部材２４が設けられている。この嵌合部材２４内の液剤流路は、流路変換部材２３の横方向に沿った流路からその流路と直交する流路に変換するものとなってパイプ２１の流路と接続されている。また、嵌合部材２４は、図５を参照して、その外形が円柱状を成すように形成された部分を有しているとともに、円柱状の外形を成す周面には、円柱軸方向に沿った複数の突条２５…を周方向で一定間隔をおいて並設するように形成している。ケース４には、突条２５間に係合して、嵌合部材２４が横軸心Ｐ周りで回転するのを軽度に規制するための係止部材２６を設けている。この係止部材２６は片持ち状に嵌合部材２４側に突出する状態にケース４に一体形成されたものであり、樹脂製であって、嵌合部材を横軸心Ｐ周りで回そうとする一定以上の力が作用すると嵌合部材２４からその力を受けて係合が解除されるように弾性的に退避するものとなっている。係止部材２６と突条２５との係合位置を適宜設定して、嵌合部材２４の回し操作を停止すると、その停止位置に対応する突条２５，２５間に係止部材２６が入り込んで、嵌合部材２４をその姿勢で保持する状態となる（図６，７参照）。したがって、ノズル８の噴霧方向を横軸心Ｐ周りでの回動操作を適宜行うことによって、ノズル８の噴霧方向を上下方向での所定範囲内において変更し、かつ適宜姿勢で保持することができるものとなっている。
【００２０】
上記構成により、この電動噴霧器１を使用する場合、容器部３として用いるペットボトル中に所定の液剤を予め収納しておいて、先に噴霧器１の本体部２に装着して使用していた容器部３を本体部２から取り外し、かつポンプ５やノズル８の洗浄が必要な場合、その洗浄を行った後に、次に使用する液剤が入った容器部３を容器装着部７に螺着装着する。そして、作業者が取手部９を片手で持つことにより電動噴霧器１を使用可能な状態となる。
【００２１】
したがって、液剤を供給するための容器部３としては、専用の容器部３を用いるものでなく、ペットボトルなどの飲料物用容器を異なる液剤の種類ごとに予め容器部３を用意しておき、噴霧の使用に供するとき所望の容器部３を選択して、噴霧器１の容器装着部７に装着すればよいものであるから、安価なものとなるとともに、容器３を付け替えるごとにその容器３について洗浄するなどの煩雑さもないものとなっている。なお、噴霧に伴なって容器部３内の液剤量が減少してもその容器部３内を大気圧に保つことができるよう、ケース４内と容器装着部７間を塞ぐ蓋体Ｆに微小な通気孔（図示せず）を設けている。
【００２２】
上記電動噴霧器においては、ノズル８の長さが一定のものを示したが、例えばノズル８のパイプ２１を伸縮自在なテレスコピック構造にして、適宜なノズル長さに設定できるようにしてもよい。
【００２３】
次に、本願発明の別の実施の形態について、図８〜図１５に基づいて説明する。図８は、この別の実施の形態に係る手動式噴霧器を示す全体側面図であり、図９は、図８の手動式噴霧器の平面図であり、図１０は、ノズル取り付け金具及び通液管を挿通した状態のピストン及びピストンロッドを示す逆止弁設置部分近傍を示す縦断側面図であり、図１１は、ノズル取り付け金具及び通液管を挿通した状態のピストン及びピストンロッドを示す縦断側面図であり、図１２は、図８の手動式噴霧器の前部側部分を示す縦断側面図（ノズルについては不図示）、図１３は、図８の手動式噴霧器の後部側部分を示す縦断側面図（（ａ）はピストンを最も後方に引いた状態を示し、（ｂ）はピストンを最も前方に押した状態を示す）であり、図１４は、図８の手動式噴霧器の使用時に人手によりピストンを最も押し操作した状態を示す説明図であり、図１５は、図８の手動式噴霧器の使用時に人手によりピストンを引いた状態を示す説明図である。
【００２４】
図８ないし図１３を参照して、手動式噴霧器３１が示されている。この手動式噴霧器３１は、シリンダチューブ３２と、このシリンダチューブ３２内に押し引き自在に装着されるピストン３３と、ペットボトルなどの使用済みの飲料物容器からなる容器部３４を螺着して装着できる容器装着部３５と、液剤を噴霧するためのノズル３６とを備えた構成となっている。
【００２５】
シリンダチューブ３２は、金属製であって、その先端部に左右一対の噴霧口部３７，３７を備えるノズル３６を取り付ける金具Ｋを螺着嵌合により固定している。各噴霧口部３７，３７は左右方向に沿った横軸心Ｐ周りでそれぞれ個別に回動自在およびその回動された適宜姿勢において摩擦保持自在に構成されており、これにより噴霧方向をそれぞれ変更調整することができるものとなっている。また、各噴霧口部３７，３７を噴霧方向に沿った軸心Ｑ周りで適宜な位置に回し操作することにより、霧状に噴霧できる状態と、ストレートに液剤を吐出できる状態とに切り替え可能となっている。
【００２６】
容器装着部３５は、シリンダチューブ３２の先端部近くに配設している。図１０に示すように、シリンダチューブ３２の下側に内外に連通する貫通孔３８を予め形成し、その貫通孔３８に逆止弁３９を構成する弁金具４０を螺着して、シリンダチューブ３２より外部に露出した弁金具４０の液剤吸い込み口４１には、ビニールホース４２の一端を圧着状態で装着している。図１０に示すように、逆止弁３９周りとその近傍におけるシリンダチューブ３２の外周全周にわたって合成樹脂からなる容器装着部３５が形成されている。弁金具４０の液剤吸い込み口４１と同心を成す雌螺子部４３が容器装着部３５の下側に形成されている。この雌螺子部４３には、ペットボトルからなる容器部３４を螺着できるものとなっている。ビニールホース４２の他端が、雌螺子部４３に螺着された容器部３４の底部近くに位置する状態で容器部３４内に挿入されるよう、ビニールホース４２の長さ設定もされている。また、ビニールホース４２の他端には、容器部３内の液剤を吸い込むための吸い込み用口材４４が取り付けられている。この吸い込み用口材４４は、液剤吸い込み用の小孔が複数形成された構成となっており、ビニールホース４２に対して圧着状態で装着されている。
【００２７】
逆止弁３９は、図１０に示すように、液剤吸い込み口４１を備える弁金具４０に液剤吸い込み口４１の閉塞と開放とを行うことのできる球体からなる弁体４５が液体流動方向で移動可能な弁室４６が設けられている。この弁室４６には、前記弁体４５が移動自在に設けられ、液剤吸い込み口４１に対して弁体４５が脱着して液剤が流動可能な状態と流動が阻止され得る状態とを現出できる弁座４７が形成されている。なお、弁体４５は比較的比重が軽い素材（液剤より軽くはなく、液剤と比重が比較的近いものが望ましいが、特にその比重がこのような望ましいものに限定されるものではない）、例えばセラミックス、ガラスや、樹脂などによって構成され、逆止弁閉止状態から逆止弁開放状態への移動が比較的軽快に行われるものとなっている。この弁金具４０のシリンダチューブ３２内に臨む側には、弁体４５の外径より小径の貫通孔４８が３つ形成された仕切り４９が設けられている。
【００２８】
そして、ピストンロッド５０の先端に固定されたピストン３３が、シリンダチューブ３２の後端部からシリンダチューブ３２内に挿入されている。ピストン３３は、最もシリンダチューブ３２内に挿入された状態で、その先端位置が逆止弁３９よりも後方側に位置するものとなっている。ピストンロッド５０の後端部には、人手によってピストンロッド５０を押し引きするための合成樹脂製の取手部５１を設けている。シリンダチューブ３２の後端開口部は、螺着固定されるキャップ５２で閉止されるとともに、このキャップ５２に対して密封シール６３によりシールされた状態でピストンロッド５０はその押し引き操作されることによりシリンダチューブ３２に対して出退可能となっている。
【００２９】
ピストンロッド５０がシリンダチューブ３２に挿入された状態では、ピストンロッド５０の外周面とシリンダチューブ３２の内周面との間に所定の間隔の空間部５３が存在するように構成されている。この空間部５３は、後述するように、容器部３４から吸い上げた液剤が一時的に収納され得る空間部となっている。ピストンロッド５０の先端部に設けられたピストン３３は、ピストンロッド５０より大径に構成されているとともに、その外周に嵌合された状態で、軟質樹脂製のシール部５４を設けている。このシール部５４は、後方ほどスカート状に外広がりとなったリップ５５を備えており、このリップ５５の最も拡がった部分の外周縁部およびその縁部近傍部分がシリンダチューブ３２の内周面との摺接部位となっている。よって、このシール部５３のリップ５５によって、シリンダチューブ３２の逆止弁３９が位置する側の空間部５６と、前記空間部５３との間がほぼ液密になっている。
【００３０】
ピストンロッド５０は、内部空間を有する金属製の筒軸で構成されている。また、前記ノズル３６への液剤を供給する通路として、金属製の通液管５７がノズル３６に一体に設けられている。この通液管５７は、ノズル３６位置からシリンダチューブ３２の後端近くまで延出される長さに設定されて設けられている。このため、ピストンロッド５０のピストン３３には、通液管５７をピストンロッド５０内に挿入できるようにするための貫通孔５８を形成している。この貫通孔５８と通液管５７とはほぼ液密状態となっており、押し引き動作によるピストンロッド５０の出退移動が通液管５７で妨げられることがないようになっている。この通液管５７が挿入された状態でピストンロッド５０の内周面と通液管５７の外周面との間には、液剤が流通し得るだけの空間部５９が存在するように設定されている。また、通液管５７の後端は空間部５９内に臨む開口６４となっている。さらに、ピストンロッド５０のピストン３３に近い端部個所には、内外に貫通する互いに対向する一対の貫通孔６０，６０を設けている。したがって、この貫通孔６０，６０を通して、空間部５３と空間部５９とが連通するものとなっており、後述するように液剤が空間部５３と空間部５９との間で貫通孔６０，６０を通して流動し得るものとなっている。
【００３１】
ここで、シリンダチューブ３２、このシリンダチューブ３２に対して押し引き操作により摺動自在に収納されたピストン３３、および、逆止弁３９などの構成が、着脱部３５に装着された容器部３４内の液剤を吸い上げる吸い上げ部と、吸い上げた液剤をノズル３６へ送出する送出部を構成するものとなっており、したがってこれらは噴霧作動部を構成している。
【００３２】
さらに、図８および図９に示すように、シリンダチューブ３２の容器装着部３５より少し後方側となる個所には、作業者がピストンロッド５０の取手部５１を持つ手とは別のもう一方の手で滑ることなくシリンダチューブ３２を握り保持するための握り部６１を硬質の合成樹脂を外装被着することによって形成している。
【００３３】
また、図９に示すように、容器部３４内から液剤を吸い上げたときでも容器部内３４を大気圧に保つための容器部３４と外部とを連通させるブレザ用の貫通孔６２を容器装着部３５に形成している。
【００３４】
この手動式噴霧器３１の動作について以下に説明する。
【００３５】
噴霧を行う所望の液剤を収納したペットボトルからなる容器部３４を、その上部の口部部分で、手動式噴霧器３１の容器装着部３５の雌螺子部４３に螺着する。作業者は、ノズル３６の噴出口部３７，３７を所望噴霧個所に向けた姿勢にし、そしてシリンダチューブ３２を一方の手で保持した状態で、押し込み状態にあるピストン５０を先ず後方に引くことによって、空間部５６を負圧状態にして逆止弁３９を介して液剤を容器部３４から吸い上げ、空間部５６内にある程度液剤が収納された状態とする。次に、ピストン５０を前方に押す操作をする。このとき、ピストン５４のシール部５４は、後方に広がるスカート形状となっているとともに軟質樹脂材でなるから、液剤が収納された空間部５６の圧力が液剤のない空間部５３より高くなることによって、シール部５４のリップ５５とシリンダチューブ３２内周面との間に液剤が空間部５３へ移動し得る微小隙間が生じ、その微小隙間を通して空間部５６から空間部５３へ液剤の移動が生じる。空間部５３へ移動した液剤は、貫通孔６０，６０を通して空間部５９へも移動していくとともに、この空間部５９内で液剤が満たされた状態になると、通液管５７の後端の開口を通して、この通液管５７内にも液剤が流入していくことになる。次いで、ピストン５０を引き操作する（図１５参照）と、逆止弁３９を介して液剤が空間部５６内に吸い上げられるとともに、空間部５９内の液剤は、ピストン５０が後方移動することで空間部５３を狭くしていくから、貫通孔６０，６０を通して空間部５９へも移動していくとともに、この空間部５９内で液剤が満たされることで、通液管５７の後端の開口を通して、この通液管５７内へ液剤が流入し、この通液管５７を通してノズル３６へ液剤が送り出され、それによってノズル３６からの噴霧がなされることになる。次いで、ピストン５０を押し操作する（図１４参照）と、ピストンロッド５０の通液管５７の開口６４と対向する後端部が前方に移動するときの圧力上昇によりその後端部と通液管５７との間に位置する液剤などを通液管５７内に押し入れるように動作するものとなり、その動作によって通液管５７を通して液剤がノズル３６へ送り出され、そのときにおいても噴霧がなされる。さらに、そのときに、空間部５６内の液剤はリップ５５とシリンダチューブ３２の内周面に生じた微小隙間を通して空間部５３へ移動し、その移動に伴ない発生する空間部５６内の負圧によって逆止弁３９を介して液剤が容器部３４からの吸い上げが行われることになる。これ以降の引き操作の工程と押し操作の工程は以上説明した２往復分の工程の後の往復工程と同様の工程となる。
【００３６】
したがって、水鉄砲方式のこの手動式噴霧器３１では、ピストン３３を押し操作しているときでも、また引き操作しているときでも噴霧を行うことができるのであって、効率的な噴霧作業を行うことができる。
【００３７】
また、液剤を供給するための容器部３としては、専用の容器部３を用いるものでなく、ペットボトルなどの飲料物用容器を異なる液剤の種類ごとに予め容器部３を用意しておき、噴霧の使用に供するとき所望の容器部３を選択して、噴霧器１の容器装着部７に装着すればよいものであるから、安価なものとなるとともに、容器３を付け替えるごとに洗浄するなどの煩雑さもないものとなっている。
【００３８】
この手動式噴霧器における微小隙間としては、ピストン３３の押し操作時において、上記実施形態ではシール部５４のリップ５５とシリンダチューブ３２の内周面との間に生じるものを示したが、次のように微小隙間を形成するものでもよい。通液管５７と、この通液管５７が貫通状態で挿入されるピストン３３の貫通孔５８との間に予め液剤が流動し得る微小隙間を形成したものでもよい。
【図面の簡単な説明】
【００３９】
【図１】噴霧器の一例としての電動噴霧器を示す全体側面図
【図２】図１の噴霧器の本体部の縦断側面図
【図３】図１の噴霧器の上部の蓋体を外した状態の電池収納部を示す平面図
【図４】図２におけるノズル基端部近傍を示す拡大縦断面図
【図５】図４に示すノズル基端部近傍を示すポンプなどとノズルとの分解斜視図
【図６】図１の噴霧器のノズルを姿勢変更可能にかつ適宜姿勢で保持するための機構を示す要部拡大側面図
【図７】図６の状態からノズルを最大限上方に向かう姿勢にした状態を示す要部拡大側面図
【図８】本発明に係る噴霧器の一例としての手動式噴霧器を示す全体側面図
【図９】図８の手動式噴霧器の平面図
【図１０】図８の手動式噴霧器の逆止弁部分を示す縦断側面図
【図１１】図８の手動式噴霧器のノズル、通液管、ピストンなどを示す縦断側面図
【図１２】図８の手動式噴霧器の前部側部分を示す縦断側面図（ノズルについては不図示）
【図１３】図８の手動式噴霧器の後部側部分を示す縦断側面図（（ａ）はピストンを最も後方に引いた状態を示し、（ｂ）はピストンを最も前方に押した状態を示す）
【図１４】図８の手動式噴霧器の使用時に人手によりピストンを最も押し操作した状態を示す説明図
【図１５】図８の手動式噴霧器の使用時に人手によりピストンを最も引き操作した状態を示す説明図
【符号の説明】
【００４０】
２    本体部
３    容器部（液剤収納容器、飲料物用容器）
５    ポンプ（噴霧作動部）
７    容器装着部（着脱部）
８    ノズル
【図１】
2005230595.tif 000003
【図２】
2005230595.tif 000004
【図３】
2005230595.tif 000005
【図４】
2005230595.tif 000006
【図５】
2005230595.tif 000007
【図６】
2005230595.tif 000008
【図７】
2005230595.tif 000009
【図８】
2005230595.tif 000010
【図９】
2005230595.tif 000011
【図１０】
2005230595.tif 000012
【図１１】
2005230595.tif 000013
【図１２】
2005230595.tif 000014
【図１３】
2005230595.tif 000015
【図１４】
2005230595.tif 000016
【図１５】
2005230595.tif 000017